(57)【要約】【課題】油汚れの洗浄力と低温乃至高温時における組成物の貯蔵安定性に優れることはもとより、除菌性にも優れる、硬表面の洗浄、特に、スーパーマーケットのバックヤード、厨房、レストラン、食堂、食品加工工場等の床の洗浄に好適に用いられる硬表面用除菌洗浄剤組成物を提供する。【解決手段】（Ａ）ノニオン界面活性剤２０〜４０質量％、（Ｂ）カチオン界面活性剤２〜１０質量％、（Ｃ）アルカリ剤１〜５質量％、（Ｄ）水溶性溶剤５〜２０質量％、（Ｅ）キレート剤０．１〜５質量％、及び（Ｆ）水を含有し、且つ、原液におけるｐＨ（ＪＩＳ−Ｚ−８８０２：１９８４「ｐＨ測定方法」）が、２５℃で１２以上に設定されていることを特徴とする硬表面用除菌洗浄剤組成物。【選択図】なし【特許請求の範囲】
【請求項１】
（Ａ）ノニオン界面活性剤２０〜４０質量％、
（Ｂ）カチオン界面活性剤２〜１０質量％、
（Ｃ）アルカリ剤１〜５質量％、
（Ｄ）水溶性溶剤５〜２０質量％、
（Ｅ）キレート剤０．１〜５質量％、及び
（Ｆ）水
を含有し、且つ、原液におけるｐＨ（ＪＩＳ−Ｚ−８８０２：１９８４「ｐＨ測定方法」）が、２５℃で１２以上に設定されていることを特徴とする硬表面用除菌洗浄剤組成物。    
【請求項２】
上記（Ａ）成分のノニオン界面活性剤が、（ａ１）ポリオキシアルキレンアルキルエーテル、（ａ２）アルキルポリグルコシド及び（ａ３）アルキルアミンオキサイドを含有し、（ａ１）、（ａ２）、（ａ３）成分の配合比率が質量比で（ａ１）／（ａ２）／（ａ３）＝０．０８〜０．６／０．２〜０．６３／０．０７〜０．７５の範囲にある請求項１に記載の硬表面用除菌洗浄剤組成物。
【請求項３】
上記（Ｂ）成分のカチオン界面活性剤が、第４級アンモニウム塩及びポリヘキサメチレンビグアナイドから選ばれる少なくとも一種である請求項１〜２のいずれか一項に記載記載の硬表面用除菌洗浄剤組成物。
【請求項４】
上記（Ｃ）成分のアルカリ剤が、無機アルカリ性物質である請求項１〜３のいずれか一項に記載の硬表面用除菌洗浄剤組成物。
【請求項５】
上記（Ｄ）成分の水溶性溶剤が、グリコール系溶剤及びアルコールから選ばれる少なくとも１種である請求項１〜４のいずれか一項に記載の硬表面用除菌洗浄剤組成物。
【請求項６】
上記（Ｅ）成分のキレート剤が、ヒドロキシカルボン酸及び／又はその塩、アミノカルボン酸及び／又はその塩から選ばれる少なくとも１種である請求項１〜５のいずれか一項に記載の硬表面用除菌洗浄剤組成物。
【請求項７】
床用用途である請求項１〜６のいずれか一項に記載の硬表面用除菌洗浄剤組成物。
【発明の詳細な説明】
【技術分野】
【０００１】
本発明は、洗浄力と組成物の貯蔵安定性に優れることはもとより、除菌力にも優れた硬表面用洗浄剤組成物に関する。さらに詳しくは、油汚れの洗浄力と低温乃至高温時における組成物の貯蔵安定性に優れることはもとより、除菌力にも優れる、硬表面の洗浄、特に、スーパーマーケットのバックヤード、厨房、レストラン、食堂、食品加工工場等の床の洗浄に好適に用いられる硬表面用洗浄剤組成物に関するものである。
【背景技術】
【０００２】
一般に、スーパーマーケットのバックヤード、厨房、レストラン、食堂、食品加工工場等においては、調理台や調理機器周辺はもとより、床にも、調理する際に油が飛び散ったり、それが拡散することで油汚れが堆積しやすい。この状態のままではすべりや転倒のおそれが生じるだけでなく、汚れを栄養源として微生物が繁殖し不衛生になるため、頻繁に床面を洗浄する必要がある。このための洗浄剤としては、従来、アルカリ剤や溶剤を主剤にし、界面活性剤を配合されたものが用いられている。
【０００３】
このような洗浄剤としては、例えば、水溶性カチオン系界面活性剤、ノニオン界面活性剤、キレート化剤、水及びアルカリ性ナトリウム化合物のアルカリ性溶液からなる硬質表面用水性洗浄組成物が提案されている（特許文献１を参照）。しかしながらこれらの洗浄剤では、希釈して使う際に洗浄成分である非イオン系界面活性剤が少ないため十分な洗浄力が得られない。また、非イオン系活性剤の配合量を増やしても洗浄力があまり向上しないばかりでなく、安定性が悪くなるといった欠点がある。
また、苛性ソーダおよび／または苛性カリ、ヒドロキシアミノカルボン酸、アミノカルボン酸またはその塩あるいは水溶性高分子から選ばれるカルシウム捕捉能有するキレート剤、グリコールエーテル系溶剤、界面活性剤を特性の比率で含有する食品工業用液体洗浄剤組成物が提案されている（特許文献２を参照）。しかしながらこれらの洗浄剤は界面活性剤を可溶化するために、トルエンスルホン酸ソーダなどのアニオン系界面活性剤を必要とする。そのためカチオン系界面活性剤を配合すると除菌力が得られないばかりでなく安定性が低下する。
また、ポリオキシエチレンアルキルエーテル型界面活性剤、第４級アンモニウム塩型界面活性剤、無機塩ビルダー、キレート剤、アルカノールアミン類を含有し、原液のｐＨが１２〜１３であることを特徴とする床用洗浄剤組成物が提案されている（特許文献３を参照）。しかしながらこれらの洗浄剤は、洗浄成分としてポリオキシエチレンアルキルエーテル型界面活性剤のみを使用しているため、配合量を増やしても洗浄力があまり向上しないばかりでなく、アルカノールアミン類を含有するため、使用時にその臭気が作業者に不快感を与えるといった欠点がある。
これらの洗浄剤はいくつかの欠点があり、いまだ改良の余地が残されている。
【０００４】
【特許文献１】特開平５−５０２６８３号公報
【特許文献２】特開平６−１１６５９４号公報
【特許文献３】特開２００１−３１１０９３号公報
【発明の開示】
【発明が解決しようとする課題】
【０００５】
本発明は、このような事情に鑑みなされたもので、油汚れの洗浄力と低温乃至高温時における組成物の貯蔵安定性に優れることはもとより、除菌性にも優れる、硬表面の洗浄、特に、スーパーマーケットのバックヤード、厨房、レストラン、食堂、食品加工工場等の床の洗浄に好適に用いられる硬表面用除菌洗浄剤組成物の提供をその目的とする。
【課題を解決するための手段】
【０００６】
本発明者らは、鋭意検討の結果、上記の目的を達成する硬表面用除菌洗浄剤組成物を見出し、本発明を完成させた。
即ち、本発明は、
（Ａ）ノニオン界面活性剤２０〜４０質量％、
（Ｂ）カチオン界面活性剤２〜１０質量％、
（Ｃ）アルカリ剤１〜５質量％、
（Ｄ）水溶性溶剤５〜２０質量％、
（Ｅ）キレート剤０．１〜５質量％、及び
（Ｆ）水
を含有し、且つ、原液におけるｐＨ（ＪＩＳ−Ｚ−８８０２：１９８４「ｐＨ測定方法」）が、２５℃で１２以上に設定されていることを特徴とする硬表面用除菌洗浄剤組成物を第１の要旨とする。
【０００７】
また、上記（Ａ）成分のノニオン界面活性剤が、（ａ１）ポリオキシアルキレンアルキルエーテル、（ａ２）アルキルポリグルコシド及び（ａ３）アルキルアミンオキサイドを含有し、（ａ１）、（ａ２）、（ａ３）成分の配合比率が質量比で（ａ１）／（ａ２）／（ａ３）＝０．０８〜０．６／０．２〜０．６３／０．０７〜０．７５の範囲にある上記硬表面用除菌洗浄剤組成物を第２の要旨とし、上記（Ｂ）成分のカチオン界面活性剤が、第４級アンモニウム塩及びポリヘキサメチレンビグアナイドから選ばれる少なくとも一種である上記硬表面用除菌洗浄剤組成物を第３の要旨とする。
【０００８】
そして、上記（Ｃ）成分のアルカリ剤が、無機アルカリ性物質である上記硬表面用除菌洗浄剤組成物水溶性溶剤を第４の要旨とし、上記（Ｄ）成分の水溶性溶剤が、グリコール系溶剤及びアルコールから選ばれる少なくとも１種である上記硬表面用除菌洗浄剤組成物を第５の要旨とする。上記（Ｅ）成分のキレート剤が、ヒドロキシカルボン酸及び／又はその塩、アミノカルボン酸及び／又はその塩から選ばれる少なくとも１種である上記硬表面用除菌洗浄剤組成物を第６の要旨とする。
【０００９】
さらに、床用用途である上記硬表面用除菌洗浄剤組成物を第７の要旨とする。
【発明の効果】
【００１０】
本発明の硬表面用除菌洗浄剤組成物は、ノニオン界面活性剤（Ａ成分）、カチオン界面活性剤（Ｂ成分）、アルカリ剤（Ｃ成分）、水溶性溶剤（Ｄ成分）、キレート剤（Ｅ成分）及び水（Ｆ成分）を含有し、且つ、原液におけるｐＨ（ＪＩＳ−Ｚ−８８０２：１９８４「ｐＨ測定方法」）が２５℃で１２以上とアルカリ性に設定されていることにより、加熱又は長時間の付着により硬表面上に堅固に付着した油汚れに対する洗浄力と、低温乃至高温時における組成物の貯蔵安定性に優れることはもとより、除菌性にも優れた効果を発揮する。そのため、本発明の硬表面用除菌洗浄剤組成物は、硬表面の洗浄、特に、スーパーマーケットのバックヤード、厨房、レストラン、食堂、食品加工工場等の床の洗浄に好適に用いることができる。
【発明を実施するための最良の形態】
【００１１】
以下、本発明を実施するための最良の形態について詳細に説明する。
【００１２】
本発明の硬表面用除菌洗浄剤組成物は、その主成分として、（Ａ）ノニオン界面活性剤、（Ｂ）カチオン界面活性剤、（Ｃ）アルカリ剤、（Ｄ）水溶性溶剤、（Ｅ）キレート剤及び（Ｆ）水を含有することを特徴としている。
【００１３】
上記（Ａ）成分であるノニオン界面活性剤としては、（ａ１）ポリオキシアルキレンアルキルエーテル、（ａ２）アルキルポリグルコシド及び（ａ３）アルキルアミンオキサイドがあげられる。これらは、被洗浄物を洗浄する目的で配合される。
【００１４】
上記（ａ１）ポリオキシアルキレンアルキルエーテルとして、具体的には、ポリオキシエチレンアルキルエーテル，ポリオキシプロピレンアルキルエーテル，ポリオキシエチレンポリオキシプロピレンアルキルエーテル，ポリオキシエチレンアルキルフェニルエーテル，ポリオキシプロピレンアルキルフェニルエーテル，ポリオキシエチレンポリオキシプロピレンアルキルフェニルエーテル等があげられる。
【００１５】
なかでも、油汚れに対する洗浄力及び浸透性の点から、炭素数８〜１８の第１級又は第２級アルコールに平均で２〜２０モルのエチレンオキシド及び／又はプロピレンオキシドが付加したものが好ましい。例えば、炭素数９〜１６の高級アルコールのエチレンオキサイド（２〜１５モル）付加物、炭素数９〜１６の高級アルコールのエチレンオキサイド（２〜１５モル）プロピレンオキサイド（２〜１５モル）付加物が好ましく用いられる。
【００１６】
また、アルキルポリグルコシドとしては、下記の一般式（１）で表される。
Ｒ１−（ＯＲ２）ｘ（Ｚ）ｙ  ・・・（１）          
［式（１）中、Ｒ１は平均炭素数８〜１８の直鎖もしくは分岐鎖のアルキル基、アルケニル基又はアルキルフェニル基を示し、Ｒ２は炭素数２〜４のアルキレン基を示し、Ｚは炭素数５〜６の還元糖に由来する残基であり、ｘはその平均数が０〜５となる数を示し、ｙはその平均値が１〜２となる数を示す。］
Ｒ１は、水溶性及び洗浄力の点から、平均炭素数８〜１６のアルキル基が好ましく、Ｒ２は、水溶性の点から、炭素数２〜３が好ましい。さらに、Ｚは単糖類もしくは２糖類以上の原料によってその構造が決定されるが、このＺの原料としては、入手容易性及びコストの点から、単糖類ではグルコース及びフルクトースが好ましく、２糖類以上ではマルトース及びスクロースが好ましい。このなかでも特に、入手容易性の点からグルコースが好ましい。
【００１７】
また、アルキルアミンオキサイドとしては、アルキル基の炭素数が８〜１８の直鎖又は分岐鎖のアルキルジメチルアミンオキサイド、アルキル基の炭素数が８〜１８のアミドプロピルアミンオキサイドがあげられ、具体的には、デシルジメチルアミンオキサイド、ラウリルジメチルアミンオキサイド、テトラデシルジメチルアミンオキサイド、ヤシ油アルキルジメチルアミンオキサイド、ミリスチルジメチルアミンオキサイド、セチルジメチルアミンオキサイド、ステアリルジメチルアミンオキサイド、デシルアミドプロピルジメチルアミンオキサイド、ラウリルアミドプロピルアミンオキサイド、やし油アミドプロピルアミンオキサイド、ミリスチルアミドプロピルアミンオキサイド等が挙げられる。洗浄力、乳化力の点から、炭素数が１０〜１４のもの、具体的には、ラウリルジメチルアミンオキサイド、ヤシ油アルキルジメチルアミンオキサイド、ミリスチルジメチルアミンオキサイド、デシルアミドプロピルジメチルアミンオキサイド、ラウリルアミドプロピルアミンオキサイド、やし油アミドプロピルアミンオキサイド、ミリスチルアミドプロピ
ルアミンオキサイド等が好ましく、なかでも、入手の容易さなどからデシルジメチルアミンオキサイド、ラウリルジメチルアミンオキサイド、ヤシ油アルキルジメチルアミンオキサイドが特に好ましく用いられる。
【００１８】
また、上記（Ａ）成分であるノニオン界面活性剤の配合量は、本発明の硬表面用除菌洗浄剤組成物（以下、本組成物と略すこともある）全体に対し、２０〜４０質量％（以下、％と略す）の範囲内に設定される。すなわち、２０％未満の配合量では、洗浄力、特に油汚れへの浸透性及び油汚れの乳化性に乏しくなる、一方、４０％を超えると、本組成物の貯蔵安定性に乏しくなるとともに、すすぎ性にも乏しくなるからである。なお、特に、２５〜３０％の範囲に設定することが、油汚れに対する洗浄力、すすぎ性及び経済性の点から好適である。
【００１９】
さらに、洗浄力、低温乃至高温時における組成物の貯蔵安定性、特に油汚れへの浸透性及び油汚れの乳化性の点から、上記（Ａ）成分のノニオン界面活性剤が、（ａ１）ポリオキシアルキレンアルキルエーテル、（ａ２）アルキルポリグルコシド及び（ａ３）アルキルアミンオキサイドを含有し、（ａ１）、（ａ２）、（ａ３）成分の配合比率が質量比で（ａ１）／（ａ２）／（ａ３）＝０．０８〜０．６／０．２〜０．６３／０．０７〜０．７５の範囲にあることが好ましく、さらに好ましくは０．１〜０．３／０．２５〜０．５５／０．１５〜０．５の範囲にあることが好ましい。
【００２０】
上記（Ｂ）成分は、被洗浄面に付着している細菌や真菌類に対する除菌作用の向上に寄与し、さらなる組成物の貯蔵安定性の向上効果にも寄与する。
【００２１】
上記（Ｂ）成分であるカチオン界面活性剤としては、例えば、モノアルキルトリメチルアンモニウムハライド、モノアルキルジメチルヒドロキシエチルアンモニウムハライド、アルキルジメチルベンジルアンモニウムハライド、ジアルキルジメチルアンモニウムハライド、トリアルキルモノメチルアンモニウムハライド、ジアルキルジメチルアンモニウムアジペート、ポリヘキサメチレンビグアナイド等があげられる。このカチオン界面活性剤は、各々単独で用いても２種以上を併用してもよい。
【００２２】
具体的には、上記モノアルキルトリメチルアンモニウムハライドとしては、ラウリルトリメチルアンモニウムクロライド、ミリスチルトリメチルアンモニウムクロライド、ステアリルトリメチルアンモニウムクロライド等があげられる。
上記モノアルキルジメチルヒドロキシエチルアンモニウムハライドとしては、ラウリルジメチルヒドロキシエチルアンモニウムクロライド、ミリスチルジメチルヒドロキシエチルアンモニウムクロライド等があげられる。
また、上記アルキルジメチルベンジルアンモニウムハライドとしては、炭素数が１０〜１４のアルキルジメチルベンジルアンモニウムクロライド、ラウリルジメチルベンジルアンモニウムクロライド、ミリスチルジメチルベンジルアンモニウムクロライド、ステアリルジメチルベンジルアンモニウムクロライド等があげられる。
上記ジアルキルジメチルアンモニウムハライドとしては、ジデシルジメチルアンモニウムクロライド、オクチルデシルジメチルアンモニウムクロライド等があげられる。
上記トリアルキルモノメチルアンモニウムハライドとしては、トリラウリルモノメチルアンモニウムクロライド等があげられる。
上記ジアルキルジメチルアンモニウムアジペートとしては、ジデシルジメチルアンモニウムアジペート、オクチルデシルジメチルアンモニウムアジペート等があげられる。
【００２３】
上記（Ｂ）成分としては、これらのうち、除菌効果の点から、アルキルジメチルベンジルアンモニウムハライド、ジアルキルジメチルアンモニウムハライド、ポリヘキサメチレンビグアナイドが好ましく、なかでも、入手容易性の点から、アルキルジメチルベンジルアンモニウムクロライド、ジアルキルジメチルアンモニウムクロライド、ポリヘキサメチレンビグアナイドが好ましい。
【００２４】
また、上記（Ｂ）成分であるカチオン界面活性剤の配合量は、本組成物全体に対し、２〜１０％の範囲内に設定されることが好ましい。すなわち、２％未満の配合量では、除菌効果に乏しく、一方、１０％を超えても  除菌効果は飽和になり、むしろ経済的に不利になるおそれがあるからである。なお、特に、４〜８％の範囲に設定することが、除菌効果及び経済性の点から好適である。
【００２５】
上記（Ｃ）成分であるアルカリ剤としては、水酸化ナトリウム，水酸化カリウム等の水酸化物、ケイ酸ナトリウム，ケイ酸カリウム等のケイ酸塩等の無機アルカリ性物質があげられる。このアルカリ剤は、油汚れに対する洗浄力を向上させる目的で配合されるもので、各々単独で用いても２種以上を併用してもよい。
【００２６】
上記（Ｃ）成分のうち、油汚れに対する洗浄力の向上及び経済性の点から、水酸化物が好ましく用いられる。
【００２７】
また、上記（Ｃ）成分であるアルカリ剤の配合量は、本組成物全体に対し、１〜５％の範囲内に設定される。すなわち、１％未満の配合量では、油汚れに対する洗浄力の向上効果に乏しく、一方、５％を超えると、本組成物の貯蔵安定性に乏しくなるからである。なお、特に、３〜５％の範囲に設定することが、油汚れに対する洗浄力の向上効果及び経済性という点から好適である。
【００２８】
上記（Ｄ）成分である水溶性溶剤としては、グリコールエーテル系溶剤及びアルコールがあげられ、各々単独で用いても２種以上を併用してもよい。この水溶性溶剤は、洗浄力の向上、特に、油汚れへの浸透性及び汚れの溶解性を向上させる目的で配合される。また、この水溶性溶剤は、すすぎ性の向上にも寄与する。
【００２９】
上記グリコールエーテル系溶剤としては、エチレングリコールモノメチルエーテル、エチレングリコールモノエチルエーテル、エチレングリコールモノプロピルエーテル、エチレングリコールモノブチルエーテル、エチレングリコールジメチルエーテル、エチレングリコールジエチルエーテル、エチレングリコールジプロピルエーテル、エチレングリコールジブチルエーテル等のエチレングリコールエーテル類、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル等のジエチレングリコールエーテル類、プロピレングリコールモノメチルエーテル、プロピレングリコールモノブチルエーテル、プロピレングリコールモノフェニルエーテル、プロピレングリコールジメチルエーテル、プロピレングリコールジブチルエーテル等のプロピレングリコールエーテル類、ジプロピレングリコールモノメチルエーテル、ジプロピレングリコールモノブチルエーテル、ジプロピレングリコールジメチルエーテル、ジプロピレングリコールジブチルエーテル等のジプロピレングリコールエーテル類、プロピレングリコール、ポリエチレングリコール等のアルキレングリコール類等があげられる。
【００３０】
上記アルコールとしては、メチルアルコール、エチルアルコール、プロピルアルコール、イソプロピルアルコール、ブチルアルコール、メトキシブチルアルコール、ベンジルアルコール、３―メチル―３―メトキシブタノール等があげられる。
【００３１】
上記（Ｄ）成分のうち、すすぎ性、油汚れへの浸透性及び汚れの溶解性の点から、グリコールエーテル系溶剤が好ましく用いられるが、なかでも、油汚れへの浸透性、汚れの溶解性及び経済性の点から、ジエチレングリコールエーテル類が好ましく用いられる。
【００３２】
また、上記（Ｄ）成分である水溶性溶剤の配合量は、本組成物全体に対し、５〜２０％の範囲内に設定される。すなわち、５％未満の配合量では、すすぎ性、洗浄力、特に油汚れへの浸透性及び汚れの溶解性に乏しく、一方、２０％を超えると、本組成物の貯蔵安定性に乏しくなるからである。なお、特に、８〜１５％の範囲に設定することが、組成物の貯蔵安定性及び経済性という点から好適である。
【００３３】
上記（Ｅ）成分であるキレート剤としては、クエン酸、グルコン酸、酒石酸、リンゴ酸、コハク酸、乳酸等のヒドロキシカルボン酸及び／又はそれらの塩、ニトリロトリ酢酸、エチレンジアミンテトラ酢酸、ヒドロキシエチルエチレンジアミンテトラ酢酸、ジエチレントリアミンペンタ酢酸、メチルグリシンジ酢酸等のアミノカルボン酸及び／又はそれらの塩等があげられる。
なお、これらの塩としては、アルカリ金属塩、アルカリ土類金属塩、アンモニウム塩又はアルカノールアミン塩があげられるが、これら（Ｅ）成分は、酸の形のままでもよいし、一部又は全部が塩の形でもよい。
これらのキレート剤は、洗浄力及び本組成物の貯蔵安定性を向上させる目的で配合されるもので、各々単独で用いても２種以上を併用してもよい。
【００３４】
また、上記（Ｅ）成分であるキレート剤の配合量は、本組成物全体に対し、０．１〜５％の範囲内に設定される。すなわち、０．１％未満の配合量では、洗浄力及び本組成物の貯蔵安定性の向上効果に乏しく、一方、５％を超えると、洗浄力の向上効果は飽和になり、むしろ経済的に不利となる上、本組成物の貯蔵安定性に乏しくなるからである。なお、特に、１〜３％の範囲に設定することが、経済性及び本組成物の貯蔵安定性の点から好適である。
【００３５】
上記（Ｆ）成分である水としては、純水、イオン交換水、軟水、蒸留水、水道水等があげられる。これらは、単独で用いても、２種以上を併用してもよい。なかでも、経済性及び本組成物の貯蔵安定性の点から、水道水、イオン交換水が好ましく用いられる。
なお、上記「水」は、本発明の硬表面用除菌洗浄剤組成物を構成する各成分に由来する結晶水や水溶液の形で含まれる水と、外から加えられる水との総和であり、本組成物全体が１００％となるよう配合される。
【００３６】
また、本発明の硬表面用除菌洗浄剤組成物には、本発明の効果を妨げない範囲で、任意成分として、ｐＨ調整剤、粘度調整剤、染料、香料、金属腐食抑制剤、消臭剤等を用いることができる。
【００３７】
本発明の硬表面用除菌洗浄剤組成物は、原液におけるｐＨ（ＪＩＳ−Ｚ−８８０２：１９８４「ｐＨ測定方法」）が、２５℃で１２以上となるよう設定される。すなわち、原液のｐＨが１２未満であると、油汚れに対する洗浄力に乏しくなるからである。
【実施例】
【００３８】
つぎに、実施例について比較例と併せて説明する。本発明は、これらに限定されるものではない。
【００３９】
後記の表１〜表２の実施例１〜６及び比較例１〜３に示す組成の硬表面用除菌洗浄剤組成物を調製し、そのｐＨを測定するとともに、洗浄力、除菌力及び貯蔵安定性の各項目について評価した。なお、後記の表１〜２において用いた成分は以下の通りであり、表中の数値は、各成分の含有量（純分）で示したものである。さらに、上記４つの項目の結果を後記の表１〜表２に併せて示す。
【００４０】
＊ポリオキシアルキレンアルキルエーテル１
：炭素数Ｃ１０のアルキレンオキサイド約６モル付加物（ＢＡＳＦ社製／商品名ルテンゾールＸＡ６０）
＊ポリオキシアルキレンアルキルエーテル２
：炭素数Ｃ１０のエチレンオキサイド７モル付加物（ＢＡＳＦ社製／商品名ルテンゾールＸＰ７０）
＊ポリオキシアルキレンアルキルエーテル３
：炭素数Ｃ１０のエチレンオキサイド９モル付加物（ＢＡＳＦ社製／商品名ルテンゾールＸＰ９０）
＊ポリアルキルグルコシド１
：炭素数１２−１６のポリアルキルグルコシド（コグニス社製／商品名グルコポン６００ＵＰ）
＊ポリアルキルグルコシド２
：炭素数８−１０のポリアルキルグルコシド（コグニス社製／商品名グルコポン２１５ＣＳＵＰ）
＊アルキルアミンオキサイド１
：炭素数Ｃ１２のアルキルジメチルアミンオキサイド（ライオンアクゾ社製／商品名アロモックスＤＭ１２ＤＷ）
＊アルキルアミンオキサイド２
：炭素数Ｃ１２のアルキルジメチルアミンオキサイド（クラリアント社製／商品名ゲナミノックスＤＣ４０）
＊カチオン界面活性剤１
：ジデシルジメチルアンモニウムクロライド（ライオンアクゾ社製／商品名アーカード２１０−８０）
＊カチオン界面活性剤２
：ポリヘキサメチレンビグアナイド塩酸塩（アビシア社製／商品名ＰｒｏｘｅｌＩＢ）
＊カチオン界面活性剤３
：アルキル（炭素数Ｃ１２−１４）ジメチルアンモニウムクロライド（三洋化成社製／商品名カチオンＧ５０）
＊キレート剤１
：エチレンジアミンテトラ酢酸・３カリウム塩（ＢＡＳＦ社製／商品名トリロンＢＫＴ）
＊キレート剤２
：エチレンジアミンテトラ酢酸・４ナトリウム塩（ＢＡＳＦ社製／商品名トリロンＢパウダー）
＊キレート剤３
：メチルグリシン二酢酸・３ナトリウム塩（ＢＡＳＦ社製／商品名トリロンＭ）
【００４１】
（１）ｐＨ測定        
〔測定方法〕
ｐＨメーター（堀場製作所製、型式：Ｆ−１６）を用いて、ＪＩＳ  Ｚ−８８０２：１９８４にしたがって、各組成物の原液の２５℃におけるｐＨ値を測定し、以下の判定基準により判定した。
〔判定基準〕
○：１２以上
×：１２未満
【００４２】
（２）洗浄力  
〔汚れの調製〕 
大豆油（関東化学製）２４ｇ、ラード（純正化学製）８ｇ、牛脂（関東化学製）４ｇ、カラーブラックＭＡ−１００（三菱化学製カーボンブラック）８ｇ、エクゾールＤ−４０（エクソン化学製溶剤）５６ｇを混合し、モデル汚れを調製した。
上記床モデル汚れ４ｍｌを白色ビニル床タイル（３０ｃｍ×３０ｃｍ）に均一に塗布し、室温にて３ヶ月間乾燥させた後、３．７５ｃｍ×１０．０ｃｍに切断してテストピースとした。
〔試験方法〕
上記にて作成したテストピースに、水道水を用いて１０倍に希釈した各組成物の溶液４ｍｌを滴下し、１分後にウォッシャビリティーテスター（テスター産業製）を用いて、パ
ッド（５ｃｍ×９ｃｍ）で１５往復させて洗浄力試験を行った。試験後、一定水量の水道水にて充分すすぎ、室温にて乾燥させた。
試験前後のテストピースの明度を、色彩色差計（ミノルタ製、型式：ＣＲ−３３１）を用いて測定し、次式にて洗浄率を求めて、以下の判定基準により判定した。
洗浄率（％）＝（洗浄後の明度−洗浄前の明度）／（汚れ付着前の明度−洗浄前の明度）×１００
〔判定基準〕
◎：洗浄率８０％以上
○：洗浄率７０％以上８０％未満
△：洗浄率６０％以上７０％未満
×：洗浄率６０％未満
【００４３】
（３）除菌力
〔試験方法〕
ＡＯＡＣのサニタイザーテストに準じて行なった。各組成物を滅菌蒸留水で１００倍に希釈し、その希釈液９９ｍｌに１０の９乗に調整した菌液１ｍｌを加え混合して薬剤と菌を接触させる。３０秒後、接触液１ｍｌを取り出し、９ｍｌ薬剤不活化リン酸バッファーに加え、その１ｍｌを別の９ｍｌ薬剤不活化バッファーに加え、同様の操作を行い段階的に希釈する。その後薬剤不活化リン酸バッファーを加えたＴＧＥＡ培地（メルク製）で混釈培養し、生存菌数を測定する。接触菌数と生存菌数により菌数のＬｏｇＲｅｄｕｃｔｉｏｎを算出する。
ＬｏｇＲｅｄｕｃｔｉｏｎ  ＝  −Ｌｏｇ（生存菌数／接触菌数）
〔判定基準〕
○：ＬｏｇＲｅｄｕｃｔｉｏｎが５以上
×：ＬｏｇＲｅｄｕｃｔｉｏｎが５未満
【００４４】
（４）貯蔵安定性
〔試験方法〕
各組成物を２５０ｍＬのポリ容器に入れ、室温にて１ヶ月間保管した。１ヶ月後の各組成物の外観を目視により観察し、以下の判定基準で評価した。
〔判定基準〕
○：組成物中に、沈殿、白濁が全く見られなかった。
×：組成物中に、沈殿、白濁、分離が見られた。
【００４５】
【表１】
2007126581.tif 000002
【００４６】
【表２】
2007126581.tif 000003
【００４７】
上記の結果から、ｐＨが１２以上であり、（ａ１）／（ａ２）／（ａ３）＝０．０８〜０．６／０．２〜０．６３／０．０７〜０．７５の範囲内にある実施例１〜６品は洗浄力、除菌力、貯蔵安定性のいずれの試験項目においても、良好な性能を示すことがわかる。      
【００４８】
一方、（ａ３）成分を含まない比較例１品は、洗浄力及び貯蔵安定性に劣ることがわかり、（Ａ）成分の含有量が過剰であり、（Ｃ）成分が少ない比較例２品は、洗浄力に劣ることがわかる。また、（ａ１）成分を含まず、（Ｂ）成分が過剰な比較例３品は、洗浄力及び貯蔵安定性に劣ることがわかる。そして、アルカリ性市販洗剤も洗浄力及び除菌力に劣る。